(57)【特許請求の範囲】
【請求項１】
電気回路を接続・切断するようプラグが着脱自在に差し込まれる防水処理された電気接続装置のソケットアウトレットであって、ほぼボックス状のアウトレット本体と、このアウトレット本体における上部の開口を水密的に閉塞してアウトレット本体に固定されるアウトレット体と、電極、接地極用の接触子夫々を基準位置に対して所定角度位置で回転位相させて固定保持する接触子用固定手段を有してアウトレット体に配装される差込ソケット機構とを備えて成り、差込ソケット機構は、電極、接地極用のピン差込孔が形成されていて、アウトレット体に形成した収納筒部の底部に所定角度位置で回転位相させて嵌め入れられる差込体と、ピン差込孔夫々に挿入される電極、接地極用の接触子夫々を設けて差込体に嵌め込み固定される接触子ユニットと、これらの差込体、接触子ユニットを収納筒部に固定保持させる固定盤とを備え、差込体あるいは接触子ユニットの少なくともいずれか一方と固定盤とを相互間で回転位相させて係合する接触子用固定手段とを設けてあることを特徴とする船舶用防水形電気接続装置におけるソケットアウトレット。
【請求項２】
接触子用固定手段は、差込体の底部外周縁に等間隔で切欠状に形成した複数の位置決め凹所に対して、アウトレット体に固定される固定盤の外周に突部状に形成した位置決め突部を係止するものとしてある請求項１記載の船舶用防水形電気接続装置におけるソケットアウトレット。
【請求項３】
差込体は、アウトレット体底部に開口形成した装着口の外周縁部に当接する装着フランジと、プラグにおける電極、接地極用のピン等を囲繞するプラグ本体の開口部が嵌め合わせられるようにして装着フランジに立設状に連設した差込筒部と、この差込筒部の上部閉塞部分で開口させて形成した電極、接地極用のピン差込孔とを一体状に形成し、装着フランジ底面には接触子ユニットを固定係合する係合手段を設けてある請求項１または２記載の船舶用防水形電気接続装置におけるソケットアウトレット。
【請求項４】
接触子ユニットは差込体における装着フランジに係合手段を介して嵌め合わせる保持ベースと、この保持ベースの下方に突出されていて、電極、接地極用の接触子を保持するスリット付きの有底状の保持筒とを有して成る請求項１乃至３のいずれか記載の船舶用防水形電気接続装置におけるソケットアウトレット。
【請求項５】
固定盤は保持ベースを嵌め合わせ支持して、差込体に接触子用固定手段を介して係合した状態でアウトレット体底部に固定されるものとしてある請求項１乃至４のいずれか記載の船舶用防水形電気接続装置におけるソケットアウトレット。
【請求項６】
電気回路を接続・切断するようソケットアウトレットに着脱自在に差し込む防水処理された船舶用防水形電気接続装置のプラグであって、ソケットアウトレットにおける差込ソケット機構に嵌め合わせられるほぼ筒状のプラグ本体と、このプラグ本体における開口部に係止していて、差込ソケット機構を水密的に覆ってソケットアウトレットに固定する締付リングと、電極、接地極用のピン夫々を基準位置に対して所定角度位置で回転位相させて固定保持するピン用固定手段を有してプラグ本体内に配装される差込ピン機構とを備えて成り、差込ピン機構は、プラグ本体自体の開口部内に所定角度位置で回転位相させてプラグ本体に固着される固定リングと、電極、接地極用のピンを固定しているピン固定部が形成されていて、プラグ本体内に装入されてピン用固定手段を介して固定リングに固定されるピン固定体とを備えており、固定リングはプラグ本体の本体部の上部分内部の内周側面に突設した複数の取付条の端面にネジ止めされる複数の固着孔を開穿したドーナツ板状に形成され、内周縁にはピン固定体を取り付け固定する複数の固定部を突設してあることを特徴とする船舶用防水形電気接続装置におけるプラグ。
【請求項７】
ピン用固定手段は、ピン固定体を貫挿したオネジを、固定リングに突設形成した複数の固定部にネジ止めするものとしてある請求項６記載の船舶用防水形電気接続装置におけるプラグ。
【請求項８】
ピン固定体は、電極、接地極用のピンを固定するピン固定部を有するピン固定盤と、プラグ本体内に引き入れられる電線を固定保持する立脚状の電線保持部を有し、ピン夫々に電線を挿通させる挿通孔が開穿されていてピン固定盤に固着される電線保持盤とから成っている請求項６または７記載の船舶用防水形電気接続装置におけるプラグ。
【発明の詳細な説明】
【０００１】
【発明の属する技術分野】
本発明は船舶内の各所に配置される電気接続装置において、その使用電圧の相違に伴なう相互間の誤接続を防止すべくソケットアウトレット、プラグ相互の接続組合せ形態が特定されるとき、夫々を夫々で共通する構成部品の異なる組立て態様によって使用電圧の相違に対応した構造のものとして組立て構成できる船舶用防水形電気接続装置におけるソケットアウトレット及びプラグに関する。
【０００２】
【従来の技術】
一般船舶内では照明用、動力用その他の用途向けに各種の異なる電圧電力が使用されているから、ソケットアウトレット、プラグ相互を接続する電気接続装置においては、それらの相互間での誤接続を防止するように相互の位置合せのための案内手段としての抜差用ガイドを基準位置として使用電圧夫々に対応して電極、接地極夫々の差込み位置を異ならしめているのである。
【０００３】
そのため従来は、使用電圧毎に電極ピン、接地極ピン位置を異ならしめて各別に構成したプラグ夫々に対応するよう電極接触子、接地極接触子位置を異ならしめたソケットアウトレット夫々を各別に構成しているものである。すなわちソケットアウトレットを正面から見た状態での時計の短針位置で接地極位置を表わすものとして、使用電圧が例えば１００〜１３０Ｖである場合には接地極を４時位置とし、２００〜２５０Ｖである場合には同様に６時位置として夫々の本体、カバー、ピン配置構造ユニット、接触子構造ユニットその他を各別に形成し、組立てているものである。
【０００４】
【発明が解決しようとする課題】
ところが上述したように、使用電圧夫々に対応した各別の構成とするために、特にピン配置構造ユニット、接触子構造ユニット等にあってはそれらのユニット部品を夫々に対応した形状、構造のものとして各別に形成しなければならず、またその組立てに際する部品組合せも特定されるから極めて面倒であるばかりでなく、その部材及びそれらに関連する多数の成型用金型等の管理も煩わしいものであった。
【０００５】
そこで本発明は叙上のような従来存した諸事情に鑑み創出されたもので、使用電圧の相違に伴ない電極、接地極夫々の配置が異なるものとして構成されるソケットアウトレット、プラグ夫々において、それらを構成する部品が夫々に共通でありながらその組合せ形態を異ならしめることで使用電圧の相違に対応したものとして構成でき、また全体としての使用部品に汎用性あるものとして部品数を少なくできる船舶用防水形電気接続装置におけるソケットアウトレット及びプラグを提供することを目的とする。
【０００６】
【課題を解決するための手段】
上述した目的を達成するため、本発明にあっては、電気回路を接続・切断する相互に着脱自在なソケットアウトレット１０、プラグ５０から成る防水処理された電気接続装置において、そのソケットアウトレット１０は、ほぼボックス状のアウトレット本体１１と、このアウトレット本体１１における上部の開口１２を水密的に閉塞してアウトレット本体１１に固定されるアウトレット体１５と、電極、接地極用の接触子３５，３６夫々を基準位置（１０Ａ）に対して所定角度位置で回転位相させて固定保持する接触子用固定手段（２７，４７）を有してアウトレット体１５に配装される差込ソケット機構２１とを備えて成るものとし、またプラグ５０は、ソケットアウトレット１０における差込ソケット機構２１に嵌め合わせられるほぼ筒状のプラグ本体５１と、このプラグ本体５１における開口部５２に係止していて、差込ソケット機構２１を水密的に覆ってソケットアウトレット１０に固定する締付リング５５と、電極、接地極用のピン６５，６６夫々を基準位置（５０Ａ）に対して所定角度位置で回転位相させて固定保持するピン用固定手段（７２，７７）を有してプラグ本体５１内に配装される差込ピン機構６１とを備えて成るものとしてある。
ソケットアウトレット１０の差込ソケット機構２１は、電極、接地極用のピン差込孔２５，２６が形成されていて、アウトレット体１５に形成した収納筒部１８の底部に所定角度位置で回転位相させて嵌め入れられる差込体２２と、ピン差込孔２５，２６夫々に挿入される電極、接地極用の接触子３５，３６夫々を設けて差込体２２に嵌め込み固定される接触子ユニット３１と、これらの差込体２２、接触子ユニット３１を収納筒部１８に固定保持させる固定盤４１とを備え、差込体２２あるいは接触子ユニット３１の少なくともいずれか一方と固定盤４１とを相互間で回転位相させて係合する接触子用固定手段（２７，４７）とを設けてある。また接触子用固定手段（２７，４７）は、差込体２２の底部外周縁に等間隔で切欠状に形成した複数の位置決め凹所２７に対して、アウトレット体１５に固定される固定盤４１の外周に突部状に形成した位置決め突部４７を係止するとしたものである。
そして差込体２２は、アウトレット体１５底部に開口形成した装着口１８Ａの外周縁部に当接する装着フランジ２３と、プラグ５０における電極、接地極用のピン６５，６６等を囲繞するプラグ本体５１の開口部５２が嵌め合わせられるようにして装着フランジ２３に立設状に連設した差込筒部２４と、この差込筒部２４の上部閉塞部分で開口させて形成した電極、接地極用のピン差込孔２５，２６とを一体状に形成し、装着フランジ２３底面には接触子ユニット３１を固定係合する係合手段（２９，３９）を設けたものである。接触子ユニット３１は差込体２２における装着フランジ２３に係合手段（２９，３９）を介して嵌め合わせる保持ベース３２と、この保持ベース３２の下方に突出されていて、電極、接地極用の接触子３５，３６を保持するスリット付きの有底状の保持筒３３，３４とを有して成る。固定盤４１は保持ベース３２を嵌め合わせ支持して、差込体２２に接触子用固定手段（２７，４７）を介して係合した状態でアウトレット体１５底部に固定されるものとしてある。
一方、プラグ５０の差込ピン機構６１は、プラグ本体５１自体の開口部５２内に所定角度位置で回転位相させてプラグ本体５１に固着される固定リング７５と、電極、接地極用のピン６５，６６を固定しているピン固定部６４が形成されていて、プラグ本体５１内に装入されてピン用固定手段（７２，７７）を介して固定リング７５に固定されるピン固定体６２とを備えている。またピン用固定手段（７２，７７）は、ピン固定体６２を貫挿したオネジ７２を、固定リング７５に突設形成した複数の固定部７７にネジ止めするものとしてある。
そして固定リング７５はプラグ本体５１の本体部の上部分内部の内周側面に突設した複数の取付条７４の端面にネジ止めされる複数の固着孔７６を開穿したドーナツ板状に形成され、内周縁にはピン固定体６２を取り付け固定する複数の固定部７７を突設したものである。ピン固定体６２は、電極、接地極用のピン６５，６６を固定するピン固定部６４を有するピン固定盤６３と、プラグ本体５１内に引き入れられる電線を固定保持する立脚状の電線保持部６９を有し、ピン６５，６６夫々に電線を挿通させる挿通孔が開穿されていてピン固定盤６３に固着される電線保持盤６８とから成っている。
【０００７】
以上のように構成された本発明に係る船舶用防水形電気接続装置におけるソケットアウトレット及びプラグにあって、ソケットアウトレット１０における差込ソケット機構２１の電極、接地極用の接触子３５，３６、プラグ５０における差込ピン機構６１の電極、接地極用のピン６５，６６夫々は使用される電圧に対応した組合わせに際し、相互間で合致する特定位置のみでしか接続させず、異なる電圧のものとして構成されたもの同志では互いに合致せず、接続させない。
ソケットアウトレット１０の差込ソケット機構２１は、相互に嵌め込み固定される差込体２２と接触子ユニット３１とが電極、接地極用の接触子３５，３６をアウトレット体１５内に回転位相自在な状態で配置させる。そして差込体２２あるいは接触子ユニット３１を接触子用固定手段（２７，４７）を介してアウトレット体１５に固定する固定盤４１は、基準位置（１０Ａ）に対して所定角度位置で回転位相させて特定位置で保持された後の接触子３５，３６をアウトレット体１５内で固定化させ、使用電圧に対応した位置を同一共通部材夫々の組合わせ位置を選択するのみで対処させる。
また差込体２２の装着フランジ２３は、アウトレット体１５に対して差込体２２自体、更に係合手段（２９，３９）を介して差込体２２に保持ベース３２によって嵌め合わせる接触子ユニット３１夫々を回転位相自在にして位置決めさせ、接触子用固定手段（２７，４７）を介した固定盤４１の係合で差込ソケット機構２１全体をアウトレット体１５底部に固定させる。
差込ソケット機構２１において差込体２２の差込筒部２４、ピン差込孔２５，２６、接触子ユニット３１のスリット付きの保持筒３３，３４夫々は、電極、接地極用の接触子３５，３６夫々をソケットアウトレット１０内に引き入れた電線に電気的に接続した状態として保持固定させ、プラグ５０における電極、接地極用のピン６５，６６を抜き差し案内させて電気回路を接続、遮断させる。ソケットアウトレット１０にプラグ５０を差し込み固定後の締付リング５５のアウトレット体１５への締め付けは、ソケットアウトレット１０とプラグ５０とを強固に接続固定し、また外部からの浸水等を阻止させる。
一方、プラグ５０の差込ピン機構６１は、ピン固定体６２に固定した電極、接地極用のピン６５，６６を固定リング７５を介してプラグ本体５１内で固定化させる。このときプラグ本体５１内に固着される固定リング７５は、プラグ本体５１内で回転位相自在にしてあることでその基準位置（５０Ａ）に対して所定角度位置で回転位相させられてピン６５，６６を特定位置で保持させ、使用電圧に対応した位置を同一共通部材夫々の組合わせ位置を選択するのみで対処させる。またピン固定体６２のピン固定部６４、電線保持部６９は、プラグ本体５１内に引き入れた電線に電気的に接続した状態として保持固定させ、そのピン固定盤６３はピン用固定手段（７２，７７）を介して固定リング７５に固定するのみでピン６５，６６をプラグ本体５１内に固定させる。
固定リング７５の複数の固着孔７６は、取付条７４にネジ止めするに際しその位置の選定で回転位相後の特定位置でプラグ本体５１内に固定リング７５自体を固着させ、固定部７７を介してピン固定体６２を固定保持させる。
【０００８】
【発明の実施の形態】
以下、図面を参照して本発明の実施の形態を説明するに、図において示される符号１０は船舶における例えば壁面等に配線されて設置されるソケットアウトレットであり、このソケットアウトレット１０に差込まれて電気的に接続されるプラグ５０と共に使用電圧に対応して電極、接地極等の配置組合せが夫々に異なるものとして相互間で誤接続が生じないように、その接続位置を特定化する基準位置（１０Ａ，５０Ａ）を設定して構成されている。
【０００９】
ソケットアウトレット１０は、壁面等に取り付けるための取付手段１３が設けられているほぼボックス状のアウトレット本体１１と、このアウトレット本体１１における上部の開口１２を水密的に閉塞して固定されるアウトレット体１５と、プラグ５０における電極、接地極用のピン６５，６６が差し込まれる電極、接地極用の接触子３５，３６夫々を基準位置（１０Ａ）に対して所定角度位置で回転位相させて固定保持する接触子用固定手段（２７，４７）を有してアウトレット体１５に配装される差込ソケット機構２１とを備えて成る。
【００１０】
アウトレット本体１１は例えば強度向上のためにガラス繊維強化樹脂材料にて上部にほぼ円形状の開口１２が設けられたほぼボックス状に形成されており、ネジ止め孔が開穿されている複数の取付片から成る取付手段１３が底部周縁に突設してある（図５参照）。またこのアウトレット本体１１の側壁には内部に電線を引き入れるための防水処理が施された電線引入口１４が開口形成されている。
【００１１】
アウトレット体１５は、アウトレット本体１１の上面に周縁に配したガスケット１７を介在させることで水密状にネジ止め固定されるほぼ矩形平板状のカバー部１６に、このカバー部１６を上下で貫挿するようにして、前記開口１２内に嵌め入れられてプラグ５０の差込口の案内となるほぼ円筒状の収納筒部１８を一体状に形成したものである。また収納筒部１８上部外周には、不使用時のソケットアウトレット１０自体の開口である差込口を閉塞する鎖付きの保護蓋２０を、あるいはプラグ５０差し込み使用時のプラグ５０を水密的に固定する締付リング５５を夫々ネジ止め固定する螺旋条構造である切欠挿入部分が形成されている固定フランジ１９が形成されている。更にこの収納筒部１８の内周には、プラグ５０が接続されるときの基準位置となる凹部状の位置合せ溝部１０Ａが形成されている。
【００１２】
差込ソケット機構２１はアウトレット体１５における収納筒部１８の開放構造となっている底部側から装入セットされて固定されるもので、電気絶縁性、耐熱性が良好な合成樹脂材料にて形成されている。そしてプラグ５０における電極、接地極用のピン６５，６６と、これらが差し込まれる電極、接地極用の接触子３５，３６夫々とは使用電圧の相違に伴ないソケットアウトレット１０自体を正面から見た状態の接地極用の接触子３６位置が異なるものとすることに対応して、所定角度位置で回転位相させてそれらの接触子３５，３６等を固定する接触子用固定手段（２７，４７）を組み込み構成してある。そのため図４に示すように、電極、接地極用のピン差込孔２５，２６が形成されていて、収納筒部１８の底部に所定角度位置で回転位相させて嵌め入れられる差込体２２と、ピン差込孔２５，２６夫々に挿入される電極、接地極用の接触子３５，３６夫々を設けて差込体２２に嵌め込み固定される接触子ユニット３１と、これらの差込体２２、接触子ユニット３１を収納筒部１８に固定保持させる固定盤４１とを備え、図示にあっては差込体２２あるいは接触子ユニット３１の少なくともいずれか一方と固定盤４１とを相互間で回転位相させて係合する接触子用固定手段（２７，４７）を設けてあるものである。
【００１３】
差込体２２は、前記収納筒部１８の底部に開口形成した装着口に当接係止するドーナツ盤状の装着フランジ２３と、プラグ５０における電極、接地極用のピン６５，６６等を囲繞するプラグ本体５１の開口部５２の筒部分が、収納筒部１８の内周に当接して嵌め入れられながら外周に嵌め合わせられるようにして装着フランジ２３に立設状に連設した差込筒部２４と、この差込筒部２４の上部閉塞部分で開口させて形成した電極、接地極用の筒状のピン差込孔２５，２６とを一体状に形成し、装着フランジ２３底面には接触子ユニット３１を固定係合する係合手段（２９，３９）（後述する）を設けたものである。この差込体２２自体は収納筒部１８内にその底部外方側から装入されたときに平面上での回転が自在で、その接地極用のピン６６を差し入れさせるピン差込孔２６を所定位置にセットさせるものとしてある。
【００１４】
差込筒部２４自体は、この差込体２２が収納筒部１８内に装入配置されたときにプラグ５０の開口部５２の筒部分が嵌め入れられる空隙を形成するように収納筒部１８と共に二重筒状になるのであり（図１、図２参照）、また図示にあっての装着フランジ２３には接触子ユニット３１を固定係合する係合手段（２９，３９）とは別に、後述する固定盤４１との接触子用固定手段（２７，４７）も設けてあるものである。
【００１５】
接触子ユニット３１は差込体２２における装着フランジ２３に係合手段（２９，３９）を介して所定位置で位置決めさせて嵌め合わせる段部状の保持ベース３２と、この保持ベース３２の下方に突出されていて、保持ベース３２上方に突出して前記ピン差込孔２５，２６夫々に挿入配置される電極、接地極用の接触子３５，３６を保持するスリット付きの有底状の保持筒３３，３４とを有して成る。保持筒３３，３４におけるスリットは、前記電線引入口１４から引き入れた電線を夫々の接触子３５，３６に結線するために接触子３５，３６下部にネジ入れられる端子ネジ３７を挿通配置させるものである。
【００１６】
しかして差込体２２と接触子ユニット３１とを固定係合する係合手段（２９，３９）は、例えば、装着フランジ２３底面にこの装着フランジ２３の外径に比し小径にして凹部状に形成した嵌め入れ段部２８に、この嵌め入れ段部２８の内径とほぼ同径の外径を有する保持ベース３２の上段部分を嵌め入れると共に、嵌め入れ段部２８内周に突設した適数の係合突部２９と保持ベース３２の外周に切欠形成した適数の係合凹所３９とを相互に係止して成るものである。そして図示例においての係合突部２９、係合凹所３９夫々は嵌め入れ段部２８、保持ベース３２夫々の周縁で３ケ所にして、またそのうちの１ケ所のものは他の２ケ所のものに対してそのいずれか一方側に近付けて配置構成してあって、組合わせ位置が特定化されるように配慮してある（図６、図７参照）。
【００１７】
更に固定盤４１は係合手段（２９，３９）を介して組合せられた差込体２２と接触子ユニット３１とを一体状にしてこれらの差込体２２、接触子ユニット３１夫々の回転位相を阻止したものとして収納筒部１８に固定するもので、図示例にあっては保持ベース３２の上段部分をその下部側から嵌め合わせ支持し、差込体２２に接触子用固定手段（２７，４７）を介して係合した状態で収納筒部１８の底部の装着口に例えば３箇所で当接ネジ止めされるドーナツカップ状に形成されている（図４参照）。
【００１８】
図示における接触子用固定手段（２７，４７）は、差込体２２における装着フランジ２３の底部外周縁に等間隔で例えば１２箇所で切欠状にして形成した位置決め凹所２７に対して、固定盤４１上面内周に等間隔で例えば３箇所で突部状にして形成した位置決め突部４７を係合するとしたものであり、図示の位置決め凹所２７は装着フランジ２３における嵌め入れ段部２８の外周壁自体に切欠状に形成してある。すなわち収納筒部１８に対して常時特定位置で固定される固定盤４１に対して、所定角度位置で回転位相される差込体２２、接触子ユニット３１をこの接触子用固定手段（２７，４７）を介して位置決め固定するのであり、例えば接地極用の接触子３６の位置を基準とするものとしてある。具体的には図５に示すようにソケットアウトレット１０自体を正面から見た状態においての収納筒部１８における時計の短針位置に接地極用の接触子３６の位置を対応させるのであり（図５（Ｂ）参照）、例えば単相での使用電圧が１００〜１３０Ｖであるとするときには図６に示すように４時位置とし、２００〜２５０Ｖであるとするときには図７に示すように６時位置とするのであり、３相での使用電圧が２００〜２５０Ｖであるとするときには図示を省略したが９時位置とし、３８０〜４１５Ｖであるとするときには同じく図示を省略したが６時位置とし、４４０〜４６０Ｖであるとするときには同じく図示を省略したが１１時位置とするのである。なおこの接触子用固定手段（２７，４７）における差込体２２、接触子ユニット３１の回転位相の変位数、回転位相角度等は図示例のような１２箇所、３０度毎等とする場合に限らず、位置決め凹所２７の数及びこれに対応する位置決め突部４７の数、位置等によって任意に設定でき、図示例の数、位置等に限定されるものではない。
【００１９】
また接触子用固定手段（２７，４７）は、差込体２２に位置決め凹所２７を形成した場合を説明してあるも、図示を省略したが位置決め凹所２７を接触子ユニット３１に形成することもでき、更には収納筒部１８底部の外側面に対して差込体２２あるいは接触子ユニット３１の少なくともいずれか一方を回転位相可能にして相互に位置決め固定できるようにすることもできるものである。
【００２０】
一方、プラグ５０は、ソケットアウトレット１０における電極部分である前記差込ソケット機構２１に嵌め合わせられるほぼ筒状のプラグ本体５１と、このプラグ本体５１における開口部５２に係止していて、ソケットアウトレット１０における電極部分、具体的には前記収納筒部１８を水密的に覆って固定する締付リング５５と、電極、接地極用の接触子３５，３６に差し込ませる電極、接地極用のピン６５，６６夫々を基準位置（５０Ａ）に対して所定角度位置で回転位相させて固定保持するピン用固定手段（７２，７７）を有してプラグ本体５１内に配装される差込ピン機構６１とを備えて成る。
【００２１】
プラグ本体５１は下部にほぼ円形状の開口部５２が設けられたほぼ筒状に形成されている。そして電線が引き入れられる防水処理が施された電線引入口５３を設けてある上部は下部に比しやや小径にして側面から見てほぼ４５度で下方に傾斜させてあって、壁面等に固定設置されたソケットアウトレット１０に対して電気的に接続したときの電線の引き出し方向を下向き４５度として電線の屈曲に無理が掛からないように配慮してある（図１、図２参照）。更に開口部５２の外周には、ソケットアウトレット１０に接続するときの基準位置となる突部状の位置合せ突部５０Ａが形成されており、ソケットアウトレット１０における位置合せ溝部１０Ａにのみ嵌め合せられて相互の接続時での基準位置となるようになっている。
【００２２】
締付リング５５はプラグ本体５１の開口部５２の外周面に形成した係止フランジ５６に係止された状態でプラグ本体５１に緩く嵌め合わせてあって、外周縁に筒部分を一体状にしたドーナツ状に形成されている。そして筒部分の下端縁内周部には、前記ソケットアウトレット１０における収納筒部１８の外周に形成した固定フランジ１９の螺旋を形成している下側面に強制的に当接してネジ止めされるストッパー５８を突設してある。なおこのストッパー５８は締付リング５５に対称的にして計一対で設けられており、このストッパー５８に対応して固定フランジ１９にはストッパー５８を固定フランジ１９下方に嵌め入れ案内する切欠が対応位置に形成されている。また係止フランジ５６は収納筒部１８上端面に、この係止フランジ５６下面に配置のガスケット５７を介在させて水密的に当接するようになっている（図１、図２、図４参照）。
【００２３】
差込ピン機構６１はプラグ本体５１の開口部５２側から装入セットされるもので、電気絶縁性、耐熱性が良好な合成樹脂材料にて形成されている。そしてソケットアウトレット１０における差込ソケット機構２１と同様に使用電圧の相違に伴ない電極、接地極用のピン６５，６６位置が異なることに対応するよう、所定角度位置で回転位相させてそれらのピン６５，６６等を固定するピン用固定手段（７２，７７）を組み込み構成してある。そのため図８に示すように、プラグ本体５１自体の開口部５２内に平面上での回転位相自在にしてプラグ本体５１の開口部５２内に固着される固定リング７５と、電極、接地極用のピン６５，６６を固定している孔状のピン固定部６４が形成されていて、プラグ本体５１の開口部５２内に装入されてピン用固定手段（７２，７７）を介して固定リング７５に固定されるピン固定体６２とを備えている。
【００２４】
ピン固定体６２は、挿入された電極、接地極用のピン６５，６６を、これらのピン６５，６６の基端部に形成された空洞内に挿入された電線を圧止固定するよう外部からネジ入れられる端子ネジ６７にて固定するピン固定部６４を有するピン固定盤６３と、プラグ本体５１内に引き入れられる電線を固定保持する立脚状の電線保持部６９を有し、ピン６５，６６夫々に電線を挿通させる挿通孔が開穿されていてピン固定盤６３に固着される電線保持盤６８とから成っている。ピン固定盤６３自体は偏平なほぼカップ状を呈し、凹部状にすることで形成されたピン固定部６４に夫々のピン６５，６６を各別に配置してある。また電線保持部６９は電線保持盤６８の本体部分上に柱状に突設すると共に、引き入れる電線をネジ止め挟着する挟持片７１を上端部に設けてある。図示例にあっての電極用のピン６５の基端部は電線保持盤６８内に隠蔽状に配置され、接地極用のピン６６は電線保持盤６８上方に突出配置されることで夫々が区別されるように、また電極用のピン６５における端子ネジ６７はピン固定盤６３外側方からネジ入れられるように夫々配慮してある。
【００２５】
固定リング７５はドーナツ板状に形成された金属製のもので、内周縁の所定位置で、ピン固定体６２を取り付け固定するための複数の固定部７７を突設して形成してある。そしてこの固定リング７５自体はプラグ本体５１内で所定角度毎に回転位相されて固着されるものとしてあり、そのために例えばプラグ本体５１の本体部の上部分内部の内周側面に例えば１２０度の等間隔で上下方向に沿って突設した複数の例えば３本で形成した取付条７４の端面にネジ止めされるよう等間隔で１２個の固着孔７６を開穿してある。すなわちこうすることでこの固定リング７５は取付条７４に対して３０度毎に回転した位置でネジ止め固着できるものである。
【００２６】
またピン固定体６２とプラグ本体５１とは、プラグ本体５１に回転位相させて固着される上記の固定リング７５にピン固定体６２を固定することで一体化されるのである。そのためにピン固定体６２には、前記固定部７７に形成してあるメネジ孔にネジ止めされるオネジ７２を挿通させる挿通孔７３を開穿してあり、図示例にあっての挿通孔７３と固定部７７とは夫々が例えば１５０度間隔で配された２個のものとすることで、特定位置で相互に組合せ固定されるように配慮してある。
【００２７】
このようにして固定リング７５を介して差込ピン機構６１をプラグ本体５１に回転位相させて所定位置で固定するのであり、そのとき例えば接地極用のピン６６の位置を基準とするものとしてある。具体的にはプラグ５０自体を電極、接地極用のピン６５，６６が配される下部の開口から見た状態においての時計の短針位置に接地極用のピン６６の位置を対応させるのであり、これはソケットアウトレット１０における接地極用の接触子３６位置とは左右で対称配置した構成となるものである（図１０（Ｂ）参照）。例えば単相での使用電圧が１００〜１３０Ｖであるとするときには図１１に示すように８時（逆向きで４時）位置とし、２００〜２５０Ｖであるとするときには図１２に示すように６時位置とするのであり、３相での使用電圧が２００〜２５０Ｖであるとするときには図示を省略したが３時（逆向きで９時）位置とし、３８０〜４１５Ｖであるとするときには同じく図示を省略したが６時位置とし、４４０〜４６０Ｖであるとするときには同じく図示を省略したが１時（逆向きで１１時）位置とするのである。なおこのピン用固定手段（７２，７７）における固定リング７５を介しての差込ピン機構６１の回転位相の変位数、回転位相角度等は図示例のような１２箇所、３０度毎等とする場合に限らず、固定リング７５における固着孔７６の数及びこれに対応する取付条７４の数、位置等によって任意に設定でき、図示例の数、位置等に限定されるものではない。
【００２８】
次にソケットアウトレット１０及びプラグ５０等の組立て構成を説明するに、その組立てに際しては使用される電圧に対応した電極、接地極の配置となるようにするのであり、ソケットアウトレット１０においては、差込体２２に係合手段（２９，３９）介して接触子ユニット３１を組合せてアウトレット体１５の収納筒部１８内に接触子３５，３６が配置されるようにその下方から装入するのであり、このとき接地極用の接触子３６の位置を使用電圧によって定まっている位置に対応させて回転位相すると共に、この位置合せ後に接触子用固定手段（２７，４７）を介して固定盤４１を差込体２２に噛み合せながら収納筒部１８に固着し、その後にアウトレット本体１１に装着固定するのである。一方、プラグ５０においては、ピン固定体６２と電線保持盤６８とを組合せて差込ピン機構６１を組立てておき、固定リング７５をプラグ本体５１内に固着しておくのであり、このとき接地極用のピン６６の位置に対応するよう固定リング７５をプラグ本体５１内で回転位相させて位置決めすると共に、この位置合せ後にピン用固定手段（７２，７７）を介して差込ピン機構６１を固定リング７５に固着することで、プラグ本体５１内にピン６５，６６を配置するのである。
【００２９】
なお使用電圧に対応してソケットアウトレット１０、プラグ５０夫々は色別に区分けされるものとされ、例えばソケットアウトレット１０における保護蓋２０、プラグ５０における締付リング５５夫々を１００〜１３０Ｖであると黄色、２００〜２５０Ｖであると青色、３８０〜４１５Ｖ、４４０〜４６０Ｖであると赤色として夫々が明瞭に区別できるようにしておくとよい。
【００３０】
【発明の効果】
本発明は以上のように構成されているため、例えば電源供給側であるソケットアウトレット１０、電力使用側であるプラグ５０夫々が使用電圧の相違に伴ない電極、接地極夫々の配置が異なるものとして構成されるとき、それらを各別に構成する部品が夫々に共通でありながら、ソケットアウトレット１０においては差込ピン機構６１をアウトレット体１５に、またプラグ５０においては差込ピン機構６１をプラグ本体５１内に配置固定するときに、それらの各部材の組合せ位置形態を異ならしめることで使用電圧の相違に対応したものとして構成できるのであり、また全体としての使用部品に汎用性あるものとして部品数を少なくすることが可能となるものである。
【００３１】
すなわちこれは本発明において、ソケットアウトレット１０は、アウトレット本体１１の上部の開口１２を水密的に閉塞固定するアウトレット体１５と、電極、接地極用の接触子３５，３６夫々を基準位置（１０Ａ）に対して所定角度位置で回転位相させて固定保持する接触子用固定手段（２７，４７）を有してアウトレット体１５に配装する差込ソケット機構２１とを備えるものとし、またプラグ５０は、差込ソケット機構２１に嵌め合わせるプラグ本体５１に係止して、差込ソケット機構２１を水密的に覆ってソケットアウトレット１０に固定する締付リング５５と、電極、接地極用のピン６５，６６夫々を基準位置（５０Ａ）に対して所定角度位置で回転位相させて固定保持するピン用固定手段（７２，７７）を有してプラグ本体５１内に配装する差込ピン機構６１とを備えるものとしたからであり、これらによって、使用電圧の相違に対応して誤接続を防止すべく異なる電極、接地極夫々の配置とするとき、共通する構成部品の組合せ位置形態のみを異ならしめることで組立て対応できるのである。
【００３２】
またソケットアウトレット１０における差込ソケット機構２１の電極、接地極用の接触子３５，３６、同様にプラグ５０における差込ピン機構６１の電極、接地極用のピン６５，６６夫々は使用される電圧に対応した電気的接続の組合せに際し、その電圧の相違に対応した接触子３５，３６、ピン６５，６６等の相互間で合致する特定位置でしか差し込み接続できず、電圧の相違による電気的な接続事故を未然に防止できるものである。
【００３３】
しかもソケットアウトレット１０の差込ソケット機構２１は、差込体２２、接触子ユニット３１、固定盤４１を備え、差込体２２における電極、接地極用の接触子３５，３６を回転位相自在な状態で配置させて、接触子用固定手段（２７，４７）を介してアウトレット体１５に固定するから、基準位置（１０Ａ）に対して所定角度位置で回転位相させた特定位置で保持された後の接触子３５，３６をアウトレット体１５内で確実に固定できるのである。そのため従来のように使用電圧毎に異なる接触子３５，３６位置となるように各部材を夫々別個に構成する必要がなくなり、全く共通な同一部材である差込体２２、接触子ユニット３１、固定盤４１の異なる組合わせ位置を選択するのみで使用電圧毎に異なる仕様のものを簡単に製作できるのである。
【００３４】
また差込体２２と接触子ユニット３１とは、差込体２２の装着フランジ２３に設けた係合手段（２９，３９）を介して接触子ユニット３１の保持ベース３２を嵌め合わせることで一体化され、その一体化された状態でアウトレット体１５の収納筒部１８に回転位相自在にして嵌め入れられるから、接触子ユニット３１の接触子３５，３６を基準位置（１０Ａ）に対して所定角度位置の回転位相状態で位置決めできるのである。しかも一体化された差込体２２と接触子ユニット３１とは接触子用固定手段（２７，４７）を介した固定盤４１の係合で差込ソケット機構２１全体をアウトレット体１５底部にしっかりと固定でき、接触子３５，３６の設定位置を安定的に維持するのである。
【００３５】
更には差込体２２には差込筒部２４、ピン差込孔２５，２６を設けてあり、接触子ユニット３１にはスリット付きの保持筒３３，３４を設けてあるから、電極、接地極用の接触子３５，３６夫々にソケットアウトレット１０内に引き入れた電線を電気的に接続した状態として保持固定させることができる。
【００３６】
一方、プラグ５０の差込ピン機構６１は、電極、接地極用のピン６５，６６を固定したピン固定体６２を、プラグ本体５１内で基準位置（５０Ａ）に対して所定角度位置で回転位相させて固着される固定リング７５を介してプラグ本体５１内に固定配置するから、ピン６５，６６をプラグ本体５１内の特定位置で保持することができる。そのため従来のように使用電圧毎に異なるピン６５，６６位置となるように各部材を夫々別個に構成する必要がなくなり、全く共通な同一部材であるピン固定体６２、固定リング７５２のプラグ本体５１に対する異なる組合わせ位置を選択するのみで使用電圧毎に異なる仕様のものを簡単に製作できるのである。
【００３７】
またピン固定体６２に設けたピン固定部６４、電線保持部６９によって、プラグ本体５１内に引き入れた電線をピン６５，６６に電気的に確実に接続した状態として保持固定でき、ソケットアウトレット１０内における接触子３５，３６との抜き差しによってもがたつかず、安定した電気的な接続、切断を行なうことができる。プラグ５０におけるプラグ本体５１の開口部５２に締付リング５５を係止してあるから、プラグ５０をソケットアウトレット１０に差し込み固定後で締付リング５５をアウトレット体１５に締め付けると、ソケットアウトレット１０とプラグ５０とを強固に接続固定し、またその間隙を閉塞したものとなって外部からの浸水等を阻止し、漏電その他の事故を未然に防止できる。
【００３８】
更には固定リング７５に複数の固着孔７６を開穿してあるから、プラグ本体５１に設けた取付条７４にネジ止めするに際しその位置を選定すべくプラグ本体５１内で回転位相することで、その特定位置に固定リング７５自体を固着でき、それに伴ない固定リング７５に設けた固定部７７をも回転位相してその位置を特定化するから、この固定部７７位置によってピン固定体６２を特定位置に固定保持できるのである。そればかりでなくピン固定体６２の固定リング７５への固定は、ピン用固定手段（７２，７７）を介して固定するのみであるから、ピン６５，６６のプラグ本体５１内への固定保持は極めて簡単である。
【図面の簡単な説明】
【図１】本発明の実施の一形態における分解側断面図である。
【図２】同じくソケットアウトレットに対するプラグの差し込み接続時における側断面図である。
【図３】同じくソケットアウトレットにおける接触子側から見た背面図である。
【図４】同じくソケットアウトレットにおける差込ソケット機構の分解斜視図である。
【図５】同じくその（Ａ）はソケットアウトレットの平面図、（Ｂ）は使用電圧に対応した接地極位置を基準位置に対して回転位相して変位設定するときの接地極位置の組立指示の一例表示図である。
【図６】同じく使用電圧が例えば１００〜１３０Ｖとなるソケットアウトレットとする場合の差込ソケット機構の組合せ構成を表わし、その（Ａ）は差込口側から見た正面図、その（Ｂ）は接触子側から見た背面図である。
【図７】同じく使用電圧が例えば２００〜２５０Ｖとなるソケットアウトレットとする場合の差込ソケット機構の組合せ構成を表わし、その（Ａ）は差込口側から見た正面図、その（Ｂ）は接触子側から見た背面図である。
【図８】同じくプラグにおける分解斜視図である。
【図９】同じく図１における矢視線断面図である。
【図１０】同じくその（Ａ）はプラグのピン側から見た背面図、（Ｂ）は使用電圧に対応した接地極位置を基準位置に対して回転位相して変位設定するときの接地極位置の組立指示の一例表示図である。
【図１１】同じく使用電圧が例えば１００〜１３０Ｖとなるプラグとする場合の差込ピン機構の組合せ構成を表わし、その（Ａ）はピン側から見た背面図、その（Ｂ）は電線引入口側から見た正面図である。
【図１２】同じく使用電圧が例えば２００〜２５０Ｖとなるプラグとする場合の差込ピン機構の組合せ構成を表わし、その（Ａ）はピン側から見た背面図、その（Ｂ）は電線引入口側から見た正面図である。
【符号の説明】
１０…ソケットアウトレット          １１…アウトレット本体
１２…開口                          １３…取付手段
１４…電線引入口                    １５…アウトレット体
１６…カバー部                      １７…ガスケット
１８…収納筒部                      １９…固定フランジ
２０…保護蓋
２１…差込ソケット機構              ２２…差込体
２３…装着フランジ                  ２４…差込筒部
２５…ピン差込孔                    ２６…ピン差込孔
２７…位置決め凹所                  ２８…嵌め入れ段部
２９…係合突部
３１…接触子ユニット                ３２…保持ベース
３３…電極用の保持筒                ３４…接地極用の保持筒
３５…電極用の接触子                ３６…接地極用の接触子
３７…端子ネジ                      ３９…係合凹所
４１…固定盤                        ４７…位置決め突部
５０…プラグ                        ５１…プラグ本体
５２…開口                          ５３…電線引入口
５５…締付リング                    ５６…係止フランジ
５７…ガスケット                    ５８…ストッパー
６１…差込ピン機構                  ６２…ピン固定体
６３…ピン固定盤                    ６４…ピン固定部
６５…電極用のピン                  ６６…接地極用のピン
６７…端子ネジ                      ６８…電線保持盤
６９…電線保持部                    ７１…挟持片
７２…オネジ                        ７３…挿通孔
７４…取付条                        ７５…固定リング
７６…固着孔                        ７７…固定部
【図１】
0003832966.tif 000002
【図２】
0003832966.tif 000003
【図３】
0003832966.tif 000004
【図４】
0003832966.tif 000005
【図５】
0003832966.tif 000006
【図６】
0003832966.tif 000007
【図７】
0003832966.tif 000008
【図８】
0003832966.tif 000009
【図９】
0003832966.tif 000010
【図１０】
0003832966.tif 000011
【図１１】
0003832966.tif 000012
【図１２】
0003832966.tif 000013